(57)【要約】      （修正有）【課題】折り鶴が遊動して、周辺に当接して変形することがなく、簡単な構造にて、安価な展示が可能な折り鶴の装着体を提供する。【解決手段】頭１ａ及び尾１ｂを立設した胴体１ｃの左右に一対の羽１ｄ、１ｅを横設し、胴体１ｃの底に併設した二重の着地板１ｇ、１ｈを、胴体１ｃ中心の垂直軸に沿った中央連結部にて、一対の前後着地体に形成した折り鶴１において、弾力性を有する台紙１４に折り曲げ線１６と、この折り曲げ線１６を底辺とする弓状なる分割線１８による弓形装着片１５を配設し、折り曲げ線１６をもって凸設した弓形装着片１５の弓形の弧上に設けた切り欠き部１９内に、折り鶴１の中央連結部が没入して、一対の前後着地体のうちの両方の着地体の二重の着地板１ｇ、１ｈ間に、切り欠き部１９を除くところの弓形装着片１５を挟着して、折り鶴１を固着した。【選択図】図７
0003204984.tif 000002
【実用新案登録請求の範囲】
【請求項１】
頭及び尾を立設した胴体の左右に一対の羽を横設し、前記胴体の底に併設した二重の着地板を、前記胴体中心の垂直軸に沿った中央連結部にて、一対の前後着地体に形成した折り鶴において、弾力性を有する台紙に折り曲げ線と、この折り曲げ線を底辺とする凸状なる分割線による凸形装着片を配設し、前記折り曲げ線をもって凸設した前記凸形装着片を、前記折り鶴の二重の前記着地板間に挟着して、前記折り鶴を固着した装着体。
【請求項２】
前記凸形装着片の凸形形状を弓形とした弓形装着片の弓形の弧上に、前記折り鶴の前記中央連結部が没入されるところの切り欠き部を設けた請求項１記載の装着体。
【考案の詳細な説明】
【技術分野】
【０００１】  本考案は、折り鶴の展示における装着体に関するものである。
【背景技術】
【０００２】  従来の折り鶴の展示において、折り鶴の材質・形状等より、折り鶴が安定状態にならないという問題があった。【０００３】  以下、従来の展示形態を、図面を参照して説明する。【０００４】  従来の展示形態を示す図１〜３において、正方形の折り紙からなる折り鶴１は、頭１ａ及び尾１ｂを立設した胴体１ｃに、正面から見て左右に羽１ｄ・１ｅを横設し、また、胴体１ｃの底１ｆには、二枚の着地板１ｇ・１ｈが併設され、この二枚の着地板１ｇ・１ｈは、胴体１ｃ中心の垂直軸に沿った中央連結部１ｉにて接合されて、互いに外方向に開放するところの一対の前後着地体１ｊ・１ｋを形成しており、この前後着地体１ｊ・１ｋと対応的な凹凸部２ａをもって密設する展示台２を設けて、折り鶴１が遊動しないようにしている。
【考案の概要】
【考案が解決しようとする課題】
【０００５】  折り鶴は紙製にて柔軟であるとともに、一対の羽、頭及び尾の先端が鋭角的に形成されており、従来の展示における展示台は、折り鶴が遊動して変形することのないように、ある程度、複雑・堅固な構造として高価となっていたが、遊動することがなく、折り鶴が周辺に当接して変形することのない、簡単な構造にて安価な展示が可能な折り鶴の装着体を得ることを目的とする。
【課題を解決するための手段】
【０００６】  本考案の第一の課題解決手段は、頭及び尾を立設した胴体の左右に一対の羽を横設し、胴体の底に併設した二重の着地板を、胴体中心の垂直軸に沿った中央連結部にて、一対の前後着地体に形成した折り鶴において、弾力性を有する台紙に折り曲げ線と、この折り曲げ線を底辺とする凸状なる分割線による凸形装着片を配設し、折り曲げ線をもって凸設した凸形装着片を、折り鶴の二重の着地板間に挟着して、折り鶴を固着した装着体とするものである。【０００７】  本考案の第二の課題解決手段は、上述の第一の課題解決手段となる装着体において、凸形装着片の凸形形状を弓形とした弓形装着片の弓形の弧上に、折り鶴の二重の着地板を、一対の前後着地体に形成する中央連結部が没入されるところの切り欠き部を設けた装着体とするものである。
【考案の効果】
【０００８】  上述の様に第一の考案効果は、頭及び尾を立設した胴体の左右に一対の羽を横設し、胴体の底に併設した二重の着地板を、胴体中心の垂直軸に沿った中央連結部にて、一対の前後着地体に形成した折り鶴において、弾力性を有する台紙に折り曲げ線と、この折り曲げ線を底辺とする凸状なる分割線による凸形装着片を配設し、折り曲げ線をもって凸設した凸形装着片を、折り鶴の二重の着地板間に挟着して、折り鶴を固着した装着体は、台紙に凸設した凸形装着片が、一対の前後着地体のうちの片方の着地体の二重の着地板間に挟着して、折り鶴は遊動することはなく、周辺に当接して変形することのない、簡単な構造にて安価な展示が可能な折り鶴の装着体となる。【０００９】  また、第二の考案効果は、上述の第一の考案効果となる装着体において、凸形装着片の凸形形状を弓形とした弓形装着片の弓形の弧上に、折り鶴の二重の着地板を、一対の前後着地体に形成する中央連結部が没入されるところの切り欠き部を設けた装着体は、切り欠き部内に折り鶴の中央連結部が没入して、一対の前後着地体のうちの両方の着地体に、切り欠き部を除くところの弓形装着片が挟着されることとなり、折り鶴の固着がより確実な装着体となる。
【図面の簡単な説明】
【００１０】
【図１】従来の展示形態を示す折り鶴の斜視図である。
【図２】同折り鶴の前後着地体の要部水平断面図である。
【図３】同展示台の凹凸部内に密設した折り鶴の要部断面図である。
【図４】本考案の実施の形態１を示す装着体の平面図である。
【図５】同折り鶴を固着した装着体の斜視図である。
【図６】本考案の実施の形態２を示す装着体の平面図である。
【図７】同折り鶴を固着した装着体の斜視図である。
【考案を実施するための形態】
【００１１】  以下、本考案の実施の形態を実施例にもとづき図面を参照して説明する。
【実施例１】
【００１２】  実施の形態１を示す図４・５において、弓形装着片５を、折り鶴１の二重の着地板１ｇ・１ｈ間に挟着する装着体３の実施例であり、折り鶴１は従来の展示形態におけるものと同等とする。【００１３】  装着体３は、弾力性を有するところの厚み０．２ｍｍ程度の普通紙にて、四辺４ａ〜４ｄからなる四辺形の台紙４に、四辺４ａ〜４ｄのうちの横辺４ａ・４ｃに平行するところの折り曲げ線６を配設し、また、この折り曲げ線６の両端６ａ・６ｂを、弓形の弧７の支点７ａ・７ｂとして分割線８を配設し、弓形装着片５を形成している。【００１４】  したがって、装着体３の弓形装着片５は、折り曲げ線６をもって垂直に折り曲げて、台紙４上に凸設されることとなり、この弓形装着片５を、折り鶴１の一対の前後着地体１ｊ・１ｋのうちの片方の着地体１ｊの、二重の着地板１ｇ・１ｈ間に挟着するならば、折り鶴１は装着体３に固着されて、動きが規制されて遊動することはなく、周辺に当接して変形することのない、簡単な構造にて安価な展示が可能な折り鶴１の装着体３となる。【００１５】  上述の実施例において、台紙４の材質を、厚み０．２ｍｍ程度の紙製としているが、弾力性を有するプラスチック板でもよい。【００１６】  また、弓形装着片５を、折り鶴１の一対の前後着地体１ｊ・１ｋのうちの片方の着地体１ｊに挟着しているが、他方の着地体１ｋ内に挟着してもよい。【００１７】  また、弓形装着片５の折り曲げ線６を、台紙４の横辺４ａ・４ｃに平行としているが、必ず平行とする必要はなく、外観上において変化をもたせるため、ある程度の傾きをもって配設してもよい。【００１８】  また、台紙４には１個の弓形装着片５を配設しているが、複数の弓形装着片を配設してもよい。【００１９】  また、台紙４の外形を四辺形としているが、外形を丸形・三角形にするとか、四辺形・三角形の角に丸みを付けてもよいし、また、凸状装着片を弓形装着片５としているが、この凸状形状を四辺形・台形とし、四辺形装着片・台形装着片としても問題のないことは言うまでもない。【００２０】  また、台紙４の四辺形の四辺４ａ〜４ｄのうちの対向する二辺４ａ・４ｃ、または、４ｂ・４ｄの延長上に、折り曲げ線をもって一対の補強帯を付設し、これをそれぞれ直角に折り曲げるならば、台紙４の扁平状態が強化されるとともに、台紙４が補強帯の巾だけ高くなる効果が得られるものである。【００２１】  また、台紙４の四辺形の四辺４ａ〜４ｄのうちの一辺の延長上に、折り曲げ線をもって台紙４と同等の大きさからなる裏板を設け、これを二つ折りして互いに接着し、台紙を二重構造として補強してもよい。
【実施例２】
【００２２】  実施の形態２を示す図６・７において、弓形装着片１５を、折り鶴１の一対の前後着地体１ｊ・１ｋに挟着する装着体１３の実施例であり、折り鶴１は従来の展示形態におけるものと同等とする。【００２３】  装着体１３は、上述の実施例１の装着体３と同等であり、台紙１４、四辺１４ａ〜１４ｄ、弓形装着片１５、折り曲げ線１６、両端１６ａ・１６ｂ、弧１７、支点１７ａ・１７ｂ、分割線１８は、上述の実施例１の装着体３における台紙４、四辺４ａ〜４ｄ、弓形装着片５、折り曲げ線６、両端６ａ・６ｂ、弧７、支点７ａ・７ｂ、分割線８にそれぞれ相当するものであるが、弓形装着片１５の弓形の弧１７上には切り欠き部１９を設けている。【００２４】  弓形装着片１５の切り欠き部１９は、弓形装着片１５の弓形の弧長を三等分する三等分支点１７ｄ・１７ｅと、折り曲げ線１６を二等分する二等分支点１６ｃを、それぞれ結ぶところの２本の切り欠き分割線２０・２１によって囲まれる扇状にて、この切り欠き部１９内に折り鶴１の中央連結部１ｉが没入される大きさとしている。【００２５】  したがって、上述の実施例１と同等なる要領にて装着体１３の台紙１４上に凸設された弓形装着片１５には、切り欠き部１９を設けており、切り欠き部１９内に折り鶴１の中央連結部１ｉが没入して、一対の前後着地体１ｊ・１ｋのうちの両方の着地体１ｊ・１ｋに、切り欠き部１９を除く弓形装着片１５が挟着されることとなり、折り鶴１の固着がより確実な装着体１３となり、折り鶴１の動きが規制されて遊動することはなく、周辺に当接して変形することのない、簡単な構造にて安価な展示が可能な折り鶴１の装着体１３となる。【００２６】  上述の実施例において、切り欠き部１９の大きさを、弓形装着片１５の弓形の弧長を三等分する三等分支点１７ｄ・１７ｅと、折り曲げ線１６を二等分する二等分支点１６ｃを、それぞれ結ぶところの２本の切り欠き分割線２０・２１によって囲まれる扇状範囲としているが、この大きさに限定するものではなく、弓形の弧１７の三等分支点１７ｄ・１７ｅの間隔を、折り鶴１の中央連結部１ｉが没入できる範囲内にて小さくしてもよいし、また、折り曲げ線１６を二等分する二等分支点１６ｃの位置にて、固着される折り鶴１の高さが決定される訳であり、折り鶴１を高く展示したいならば、この二等分支点１６ｃの位置を高くすればよいこととなる。【００２７】  また、切り欠き部１９の形状を扇状としているが、上述の斜線からなる切り欠き分割線２０・２１を、折り曲げ線１６に対して直角なる垂直分割線とし、この対向する垂直分割線のそれぞれの下端を、折り曲げ線１６に平行するところの水平分割線にて結ぶ、すなわち、この３本の分割線をもって、直角なる２角を有するところの切り欠き部の形状としてもよいし、さらに、この水平分割線を半円形分割線とし、先端に丸みを有するところの棒状の切り欠き部としてもよい。
【符号の説明】
【００２８】                      １    折り鶴
１ａ    頭
１ｂ    尾
１ｃ    胴体
１ｄ、１ｅ    羽
１ｆ    底
１ｇ、１ｈ    着地板
１ｉ    中央連結部
１ｊ、１ｋ    着地体
２    展示台
２ａ    凹凸部
３、１３    装着体
４、１４    台紙
４ａ〜４ｄ、１４ａ〜１４ｄ  四辺
５、１５    弓形装着片
６、１６    折り曲げ線
６ａ、６ｂ、１６ａ、１６ｂ  両端
１６ｃ  二等分支点
７、１７    弧
７ａ、７ｂ、１７ａ、１７ｂ  支点
１７ｄ、１７ｅ  三等分支点
８、１８    分割線
１９    切り欠き部
２０、２１    切り欠き分割線
【図１】
0003204984.tif 000003
【図２】
0003204984.tif 000004
【図３】
0003204984.tif 000005
【図４】
0003204984.tif 000006
【図５】
0003204984.tif 000007
【図６】
0003204984.tif 000008
【図７】
0003204984.tif 000009